(57)【特許請求の範囲】
【請求項１】
骨端部に湾曲した孔を形成するための円弧状の湾曲形状を有し、その湾曲形状を保持する剛性を備え、先端に切削部を備え、ガイドワイヤを通すための軸方向の空洞を備え、その空洞は穿刺針の先端近辺で開口している骨髄採取用の穿刺針。
【請求項２】
前記先端の切削部が多角錘の錐状に形成されている請求項１記載の穿刺針。
【請求項３】
前記空洞が穿刺針の湾曲の内側で開口している請求項１記載の穿刺針。
【請求項４】
骨端部に湾曲した孔を形成するための円弧状の湾曲形状を有し、その湾曲形状を保持する剛性を備え、ガイドワイヤを通すための軸方向の空洞を備え、その空洞が先端で開口している外針と、
前記外針の空洞内に回転自在かつ抜き取り可能に収容される可撓性を有する内針とを備えており、
その内針の先端が錐状を呈し、かつ、内針が外針に収容された状態で内針の基部が操作可能に外針から外部に出て全体として芯鞘構造を呈する骨髄採取用の穿刺針。
【請求項５】
請求項４記載の穿刺針と、前記外針内に、または前記外針によって形成される骨の孔に挿入される可撓性を備えたチューブ状のカテーテルとの組み合わせからなる骨髄採取用の医療器具セット。
【請求項６】
請求項４記載の穿刺針と、その穿刺針の外針の空洞に挿入しうるガイドワイヤと、そのガイドワイヤを通す空洞を有し、前記穿刺針によって形成される骨の孔に挿入しうる、軸心方向に延びる湾曲した空洞を有する針状デバイスとの組み合わせからなる骨髄採取用の医療器具セット。
【請求項７】
骨皮質に固定する固定手段および空洞を有する穿刺孔確保材を備えた請求項５または６記載の医療器具セット。
【請求項８】
請求項１〜３のいずれかに記載の穿刺針と、その穿刺針の空洞に挿入可能なガイドワイヤと、前記ガイドワイヤの外周に通される屈曲可能なカテーテルとの組み合わせからなる骨髄採取用の医療器具セット。
【請求項９】
前記ガイドワイヤの外周に摺動自在に装着されて案内される屈曲可能な先端部が硬性を有する探索管をさらに備えている請求項８記載の医療器具セット。
【請求項１０】
骨皮質に固定する固定手段および空洞を有する穿刺孔確保材を備えた請求項８または９記載の医療器具セット。
【発明の詳細な説明】
【技術分野】
【０００１】
本発明は骨髄採取用の穿刺針およびそれを用いた医療器具セットに関する。さらに詳しくは、長管骨の骨髄腔から骨髄を採取する方法に適する穿刺針および医療器具セットに関する。
【背景技術】
【０００２】
【非特許文献１】Thomas et al.:Techniqe for human marrow grafting. Blood, pp.507, 1970
【非特許文献２】Ikehara et al.:A new method for bone marrow cell harvesting.Stem Cells, 18:6, pp453, 2000
【非特許文献３】日本コンピュータ外科学会２００１年報告１０１〜１０２頁  大橋晃太、他：低侵襲骨髄採取デバイスの開発（第一報：大腿骨骨髄採取デバイスに関する検討：骨髄採取用の穿刺針および採取器具ならび骨髄採取方法）
【特許文献１】米国特許第５，３６８，０４６号
【特許文献２】特開２００３−１１６８６２号公報
【特許文献３】米国特許第６，３１５，７３７号
【特許文献４】特開２００１−３０９９１９号公報
【特許文献５】米国特許第６，５７９，２６４号
【特許文献６】米国特許第５，００５，５８５号
【０００３】
骨髄を採取することは、血管疾患、とくに白血病などの悪性疾病の診断に不可欠である。この目的のためには非特許文献１などに報告されている通り、鋭利な先端を持つ骨髄穿刺針を骨に強く突き立てて骨皮質を破り、髄腔から骨髄を吸引する手法が採用されている。
【０００４】
骨髄を髄腔から吸引しやすくした穿刺針の開発に関しては、特許文献１などに詳細な記載がある。これらの中で多くの骨髄穿刺針では、骨穿刺の際に皮膚面から髄腔までの深さを調節するために先端から一定の距離、たとえは５ｍｍから１ｃｍ程度離れたところに可動式のストッパが取りつけられていて、強い力で突き立てられても穿刺針が過剰に入らな
いような安全機構が組み込まれている。前述の特許文献１などでは、そのストッパ機構にそれぞれの工夫が凝らされている。
【０００５】
さらに一度限りの使い捨ての製品も多く考えられている。それらは内針と外針とからなる芯鞘構造を持ち、内針の先端に鋭利な刃があって骨穿刺を行い、外針の先端を骨皮質に貫通させ、その後、内針を抜去し、外針に注射器を接続して骨髄液を吸引する方式を採用している。これらの使い捨ての穿刺針ではストッパ機構がない製品が多い。このような単純構造の技術の基本構造は、たとえば特許文献２などに見られる。
【０００６】
いずれの先行技術にしても、穿刺針が直接骨髄腔内に到達する骨の穿刺に適しているので、一般的には胸骨や腸骨、仙骨などの体表面近くに存在する平坦な骨が骨髄採取骨に選ばれている。これらの骨の多くは体重が常にかかる部位にないので、厚い筋肉に覆われておらず、薄い皮膚などで覆われているだけである。そのため強く突き刺すことで骨皮質を破り、髄腔に至る穿刺が容易である。またこれらの体表面近くにある平坦な形態の骨は厚みが少なく、骨髄腔が狭いことから、得られる骨髄の量は０．５ｍｌ程度の少量であるが、疾患の診断にはその量で充分である。
【０００７】
しかしながら、最近、骨髄移植が新たな治療方法として広く行われるようになり、多量の骨髄を採取する必要が出てきた。このような要求に対しては、骨髄のドナーから従来技術による方式で骨髄を採取しているが、一度に採取できる量が限られている。そのため、一人の骨髄ドナーから約１０００ｍｌの骨髄（末梢血を含む。正味骨髄だけであれば１０〜２０ｍｌ）を採取するためには、１００カ所以上、時には２００カ所に至る数の穿刺を全身の骨に対して行い、少量ずつ集めているのが現実である。
【０００８】
従って採取する医師の苦労はもちろんのこと、採取されるドナーの負担は極めて大きくなっている。そこで一度の穿刺によって多量の骨髄を採取可能にする改良が必要であるが、それを実現する技術は開発されていない。
【０００９】
大きな骨には大きな骨髄腔があり、多量の骨髄を持つことは容易に推測できる。しかしながら、従来の骨髄採取には前述した胸骨や腸骨などの小さな薄い骨からの採取であり、哺乳類あるいはヒトの骨類のなかで最大の骨である大腿骨、さらには脛骨などからの採取は行われていない。それは、これらの長管骨の周囲が大きな厚い筋肉に取り囲まれており、骨に穿刺針を近づけることが難しいことに加えて、これらの骨の表面は薄いながらも硬固な緻密質からなっていることに理由がある。緻密質の直下に髄腔が存在し、表面から髄腔までの距離は近いが、緻密質が硬いことから緻密質を貫通させて骨髄穿刺針を刺し、骨髄を採取することは容易ではない。このような管状骨の多くは全身の体重がかかることが多いので、力学的強度を要求されることから、そのように丈夫な緻密層が形成させているのは当然である。
【００１０】
このような構造にもかかわらず、管状骨には骨髄が多いことから、池原らは非特許文献２にその骨から効率よく骨髄を採取する方法を報告をしている。これによると、管状骨の一部に骨髄穿刺針を刺し、これとは別の部位にさらに穿刺針を刺して、一方の穿刺針から環流液を流し、他方から吸引採取することによって、環流によって骨髄細胞を採取する方法である。なお、同様な方法およびそれに用いる剛性パイプとドリルとを備えた骨髄採取セットが特許文献２に開示されている。さらに特許文献３には、力任せに強く針を押し込むよりも、ねじ込む方が力が少なくて済むことから、先端にドリル構造をもたせた技術が開示されている。また特許文献４には、パイプ状のカニューレとその内部で摺動可能な作動片とを備えた骨髄液採取セット及び骨髄針とが開示されている。
【００１１】
特許文献２における２カ所に穿刺針を設けて環流する方法は獣医領域において利用され
ている。動物では１本の長管骨にかかる体重も相対的に軽くなることに加え、ヒトに比べて小さな動物では緻密層も薄いので、大腿骨穿刺も比較的容易であり、それが可能である。しかしながらこの環流法では、硬い緻密層部分を２カ所も穿刺する必要があり、大型の哺乳動物、とくにヒトへの実施には不都合が多い。
【００１２】
ところがこのような長管骨であっても、その骨端部には筋肉層に取り囲まれていない部分が存在する。しかもそのような骨端部には皮膚の薄い部分がある。この薄い部位では穿刺が比較的容易である。具体的にいえば、大腿骨においては大転子部分である。この部分には全身の体重がかからないこともあって、緻密層が表面には形成されていない。このような骨端部には緻密層の代わりに薄い骨皮質がある。しかしながら皮質の下層には厚い海綿骨の層があることから、穿刺針の先端を髄腔まで到達させることが難しく、骨髄を吸引採取することができない。
【００１３】
そのため、管状骨には骨髄が存在しない、と言われることすらあった。しかしながら、大きな骨、とくに管状骨にはそれなりに大きな髄腔があり、そこには多量の骨髄が存在することから、それを採取し活用することは、前述したとおり、多量の骨髄を採取する必要のある骨髄移植ドナーなどにとっては、穿刺部位数の減少、すなわち負担の軽減に繋がるので、望むべきことである。しかしそれが不可能であったのは、大転子部分から刺入するに際しては、深い部分に存在する髄腔まで到達させる器具がないためであった。
【００１４】
非特許文献３には、骨端部から骨髄を採取する方法がさらに報告されている。その技術は骨端部から環流液を流しつつ吸引するシステムを挿入する方法であり、それにより効率よく骨髄を採取可能であると報告されている。この報告によると、骨端部に大きな孔を穿ち、その孔からステンレス製のマルチルーメンの管からなるデバイスを挿入する。具体的には、ブタ大腿骨に対して骨端子から髄内リーマ（外径５．５ｍｍ）を用いて骨髄腔に到達した後、ＢＭＣ  Ｈａｒｂｅｓｔｅｒをセルジンガー方式で挿入し、ガイドワイヤに沿ってデバイスを挿入する。デバイスのマルチルーメンは、ガイドワイヤ挿入用の管、環流液流入用の管、および骨髄吸引用の管からなり、生理的食塩水の環流液を流しつつ吸引する。そのために、デバイスは硬くて太い構造となっている。セルジンガー方式については、たとえば特許文献５に記載がある。
【００１５】
この報告によると、寒天を用いて内径１８ｍｍのアクリルのパイプを管状骨に見立てて行ったシュミレーション実験は、デバイスの通過する部分の寒天を採取することは可能であったが、デバイスから離れた部分の寒天は採取できなかったとの記載がある。実際の骨の内部はアクリルのパイプのように滑らかでないので、このデバイスで実際の髄腔から骨髄を効率よく採取するには限界がある。さらにこのようなデバイスは太くて硬くなりがちである。骨端部にこのような太いデバイスを挿入することは、大きな孔を骨端部の深い部分にある骨髄孔内に真っ直ぐに開けることになるので、患者やドナーの負担が大きくなり、負担軽減目的から外れることも危惧される。
【００１６】
管状骨の末端、具体的には大腿骨骨端にある大転子部分は腰部にあって、大腿骨の中枢側末端部ではもっとも皮膚に近い部位に位置し、体重がかからない部分であることから、緻密質は形成されていないので、穿刺しやすい箇所である。しかしながら、この部位から厚い海綿骨を貫通して大腿骨の骨髄腔内に真っ直ぐに硬くて太い管を刺入することは、高度の技術を要する。
【００１７】
さらにそのような太くて硬い管を挿入するにあたっては、骨髄腔以外の部位に外れて刺入された場合は副損傷が大きくなることから、確実に挿入しなければならないので、レントゲンにて透視しながら刺入する必要がある。そして、運良く骨端部に刺入できたとしても、大腿骨は完全な直線でなく、緩やかなカーブを描いているので、その髄腔に硬性の管
を奥深くまで刺入する事には無理がある。またこのような処置を行うには、全身麻酔が必要となるため、患者やドナーの負担はさらに増加する。
【００１８】
従って、前述のステンレス製のマルチルーメンを持つ硬性の管を使う限りにおいては、効率よく管状骨の隅々まで挿入することが難しく、さらには負担をできるだけ軽くしつつ効率よく管状骨内部の骨髄を採取することは期待できないのが実状である。
【００１９】
さらに管状骨の多くは体軸方向に位置しているため、管状骨の軸に硬性の管を挿入するには、管状骨を体軸に対して強く屈曲させる必要がある。たとえば、大腿骨から採取する場合には、大腿を屈曲し、さらに強く内転させねばならず、そのために全身麻酔を掛けた状態で体位変換を行うと、麻酔上のトラブル、清潔上のトラブルなどが発生しやすくなる。また管状骨の末端には、多くの場合、関節が存在するので、このような太い管を真っ直ぐに挿入するには穿刺が関節腔内にかかることがあり、関節障害発生の危険性がある。
【００２０】
大腿骨の場合は、中枢側の骨端は大まかに２つに分かれている。一つは股関節を形成する骨頭部分であり、もう一つは大転子部分である。この大転子部分には関節がないので、この部位を穿刺すると関節への影響が生じない。しかしながら、その大転子に穿刺針を刺してカテーテルを導入する場合ですら、骨幹部に真っ直ぐ穿刺針を刺入することは極めて難しい。大腿骨が体軸に平行方向にあり、皮膚からの最短距離の刺入部位を選び、脚を内側に曲げて大腿骨を斜めにして、大転子部分をできる限り皮膚に近づけ、大腿骨の中軸を身体の長軸からずらすようにしても、大転子から骨管軸に真っ直ぐに刺入することは現実的には難しい。実際にこの操作をレントゲンで透視しつつ刺入させても、３次元的に確実に骨管軸に真っ直ぐに刺入させることは困難であり、硬性の穿刺針のみで大転子部分から骨髄腔内まで到達させることは極めて難しい。
【発明の開示】
【発明が解決しようとする課題】
【００２１】
従来技術では長管骨内の骨髄を直接穿刺して採取することはできず、２カ所に孔を穿って環流液を流しても充分な採取ができない。また、骨端部から穿刺するには、髄腔内までの距離が長いので穿刺が不可能である。その問題を解決するため、硬性の太いチューブを骨端部から挿入する手法も考えられているが、患者への負担が大きいこと、及びそのような処置を行っても、採取できる骨髄量には限りがあるという問題がある。本発明は、患者ないし治療対象の哺乳動物の負担が少なく、小さな穿刺で長管骨内の骨髄を効率よく多量に、そして容易に採取することができる骨髄採取方法およびそれに用いる医療器具を提供することを技術課題としている。
【課題を解決するための手段】
【００２２】
【００２３】
【００２４】
【００２５】
本発明の骨髄採取用の穿刺針の第１の態様は、骨端部に湾曲した孔を形成するための円弧状の湾曲形状を有し、その湾曲形状を保持する剛性を備え、先端に切削部を備え、ガイドワイヤを通すための軸方向の空洞を備え、その空洞は穿刺針の先端近辺で開口していることを特徴としている。このような穿刺針では、前記先端の切削部が多角錘の錐状に形成されているものが好ましい。さらに前記空洞が穿刺針の湾曲の内側で開口しているものが好ましい。
【００２６】
本発明の骨髄採取用の穿刺針の第２の態様は、骨端部に湾曲した孔を形成するための円弧状の湾曲形状を有し、その湾曲形状を保持する剛性を備え、ガイドワイヤを通すための軸方向の空洞を備え、その空洞が先端で開口している外針と、前記外針の空洞内に回転自在かつ抜き取り可能に収容される可撓性を有する内針とを備えており、その内針の先端が錐状を呈し、かつ、内針が外針に収容された状態で内針の基部が操作可能に外針から外部に出て全体として芯鞘構造を呈することを特徴としている。
【００２７】
本発明の医療器具セットの第１の態様は、前記内針と外針とからなる穿刺針と、前記外針内に、または前記外針によって形成される骨の孔に挿入される可撓性を備えたチューブ状のカテーテルとの組み合わせからなることを特徴としている。
本発明の医療器具セットの第２の態様は、前記内針と外針とからなる穿刺針と、その穿刺針の外針の空洞に挿入しうるガイドワイヤと、そのガイドワイヤを通す空洞を有し、前記穿刺針によって形成される骨の孔に挿入しうる、軸心方向に延びる湾曲した空洞を有する針状デバイスとの組み合わせからなることを特徴としている。
このような医療器具セットの第２の態様では、骨皮質に固定する固定手段および空洞を有する穿刺孔確保材を備えたものが好ましい。
【００２８】
【００２９】
【００３０】
【００３１】
【００３２】
本発明の骨髄採取用の医療器具セットの第３の態様は、前記いずれかの穿刺針と、その穿刺針の空洞に挿入可能なガイドワイヤと、前記ガイドワイヤの外周に通される屈曲可能なカテーテルとの組み合わせからなることを特徴としている。このような医療器具セットでは、前記ガイドワイヤの外周に摺動自在に装着されて案内される屈曲可能な探索管をさらに備えているものが好ましい。
これらの医療器具セットにおいて、骨皮質に固定する固定手段および空洞を有する穿刺孔確保材を備えたものが好ましい。
【発明の効果】
【００３３】
【００３４】
【００３５】
【００３６】
【００３７】
【００３８】
【００３９】
本発明の穿刺針は、骨端部に湾曲した孔を形成するための湾曲部を備えているので、管状骨の骨端部で関節構造から離れた側面から穿刺針を刺入させ、骨端部に湾曲した孔を穿ちながら、先端を骨髄腔内に達するようにすることができる。すなわち骨端部には関節があることや、骨の長軸が体軸と同じ方向であることから、骨の末端から長軸に沿って真っ直ぐに刺すことは困難であるが、本発明の穿刺針を用いる場合は、骨端部における側面から穿刺針を刺入し、ついで骨内部において針の先端を髄腔方向に向けて徐々に方向転換させ、針の先端を骨軸方向に向けることができる。そして穿刺針の空洞により、ガイドワイヤを通す湾曲した経路を確保することができる。なお、穿刺針の先端は髄腔内に達するまで進めてもよく、海綿質内に達する程度とし、その後、海綿質内でガイドワイヤを押し出して髄腔まで貫通させることもできる。
【００４０】
その後は空洞にガイドワイヤを通し、穿刺針を抜去して探索管を用いたり、採取用のカテーテルを挿入して、骨髄を採取することができる。このように本発明の穿刺針を採用すると、骨端部の側方、とくに皮膚の直下にある大転子から穿刺することができるので、ドナーや患者が大腿を大きく曲げたり、さらに内転させたりする必要がない。そのため、ドナーや患者の負担が少なく、医師の負担も少ない。また、外径を細くする場合は、さらにドナーの負担が少なく、挿入が容易である。なお穿刺針に湾曲をもたすことで大転子から髄腔までの刺入が一層容易になる。さらに穿刺針の外径を細くすることにより、穿刺後に骨端部に残る孔の径を小さくすることができ、ドナーあるいは患者の負担が少なくなる。
【００４１】
また、前述のように、骨端部で関節から外れた骨端部分の側面から針を刺すことができるので、下腿の頸骨や腓骨、あるいは上肢の上腕骨に対しても穿刺針を通すことができ、それらからも骨髄を採取することができる。
【００４２】
前記穿刺針において、先端が多角錘の錐状に形成され、前記空洞が穿刺針の先端近辺で側方に開口している場合は、骨表面の皮質を容易に破ることができる。すなわち骨端部の骨表面にある骨皮質は骨幹部の緻密層に比べると薄いが、骨端部といえども、皮質は硬くて穿孔し難い。空洞を穿刺針の先端近辺で側方に開口させ、穿刺針の先端を多角錘の錐状に形成した穿刺針では、先端が鋭利で、しかも多角錘状であるので、先端を骨表面に当てて回転させることにより、容易に皮質を破り、内部に刺入させることができる。また、力のかかり具合と穿刺針の通過経路との関係から、骨片が開口に強く押し込まれる可能性が少なくなる。さらに前述のように湾曲形状を利用して骨内部で方向転換できるので、骨表面にはほぼ直角に当てて刺入することができ、滑りにくく、刺入が容易である。また、この方式によって硬い骨皮質も過剰な力を入れることなく穿つことができることから、従来の技術のような、過剰に挿入することを防ぐストッパなどの安全装置は必ずしも必要でない。
【００４３】
前記空洞が穿刺針の湾曲の内側で開口している穿刺針においては、海綿骨内でガイドワイヤを押し出すとき、穿刺針のカーブが不充分で、まだその先端が髄腔に真っ直ぐ向いていない状態であっても、開口が空洞の方向に向いている。そのため、その状態であってもガイドワイヤを髄腔に向けて押し出すことができる利点がある。
【００４４】
本発明の穿刺針の第２の態様は、前述の穿刺針を外針とし、その外針の内部に内針を収容した芯鞘を備えているので、内針で骨端部や海綿骨を破り、外針で湾曲した経路を確保することができる。そのとき、内針が可撓性を備えているので、内針を回転させながら、場合により、前後に往復させながら、外針内を進行させることができる。そのため、強く押し当てなくても進行させることができ、一層容易に穿刺針を骨端部に刺入することができる。また、内針を外針に対して抜き取り可能にする場合は、骨端部に刺入した後、内針を抜き取れば、前述の場合と同様に、空洞内にガイドワイヤを挿入することができる。そしてそのガイドワイヤにより、その後の探索用のカテーテルの装着のためのガイド、あるいは骨髄採取用カテーテルの装着のためのガイドとすることができる。
【００４６】
本発明の医療器具セットは、本発明の剛性を備えた空洞を有する外針およびその外針に挿入する内針からなる穿刺針と、可撓性を備えたチューブ状のカテーテルとの組み合わせから構成されているので、穿刺針で骨皮質に孔を形成し、内針を抜き、外針に、あるいは、その外針によって形成される骨の孔にカテーテルを通して、骨髄を吸引することができる。それにより多量の骨髄を容易に採取しうる。
本発明の医療器具セットの第２の態様は、湾曲部を備えた針状デバイスを備えているので、ガイドワイヤの向きを変えることができる。それによりカテーテルを案内するガイドワイヤを髄腔内の奥深くまで案内することができる。
前述した医療器具セットであって、骨皮質に固定する固定手段および空洞を有する穿刺孔確保材を備えている場合、手元が狂うなどによる穿刺針の横飛びを防止しつつ、安全に骨への穿刺を行うことができる。
【００４７】
【００４８】
【００４９】
【００５０】
【００５１】
【００５２】
本発明の医療器具セットの第３の態様は、前述の穿刺針と、ガイドワイヤと、カテーテルを備えているので、前述の骨髄の吸引採取方法を実施することができ、それらの器具による作用効果を奏することができる。前記医療器具セットの第３の態様に所定の探索管を加える場合は、髄腔内に達しているかどうかを早期に検出できる。
また、このような医療器具セットに骨皮質に固定する固定手段および空洞を有する穿刺孔確保材を備えている場合は、穿刺針の保持ができ、骨髄吸引採取を容易にすることができる。
【図面の簡単な説明】
【００５３】
【図１】図１ａおよび図１ｂはそれぞれ本発明の穿刺針の一実施形態を示す正面図および側面図である。
【図２】図２ａおよび図２ｂはそれぞれその穿刺針の先端部の拡大側面図および拡大断面図である。
【図３】本発明の穿刺針の使用方法の一実施形態を示す側面図である。
【図４】図１の穿刺針の使用状態を示す断面図である。
【図５】図５ａおよび図５ｂは本発明の穿刺針の他の実施形態を示す正面図および側面図である。
【図６】図６ａおよび図６ｂはそれぞれその穿刺針の先端部の拡大側面図および拡大断面図である。
【図７】図７ａおよび図７ｂはそれぞれ本発明の穿刺針のさらに他の実施形態を示す要部側面図である。
【図８】その穿刺針に用いられる内針の実施形態を示す要部拡大側面図である。
【図９】本発明の穿刺針のさらに他の実施形態を示す要部斜視図である。
【図１０】本発明の穿刺針のさらに他の実施形態を示す要部斜視図である。
【図１１】本発明に関わる外針の使用状態を示す要部断面図である。
【図１２】図１２ａは本発明に関わる穿刺針のさらに他の実施形態を示す要部拡大斜視図、図１２ｂはその穿刺針に用いる外針の要部斜視図である。
【図１３】図１３ａは本発明の範囲外の穿刺針の形態を示す要部斜視図、図１３ｂはその穿刺針の内針を示す要部斜視図、図１３ｃおよび図１３ｄはそれぞれ図１３ａの穿刺針の外針を示す要部斜視図である。
【図１４】図１４ａ〜ｄはそれぞれ本発明の範囲外の外針の形態を示す要部斜視図である。
【図１５】本発明の穿刺針を用いた骨髄採取方法の部分工程を示す側面図である。
【図１６】図１５に続く骨髄採取方法の部分工程を示す側面図である。
【図１７】図１６に続く骨髄採取方法の部分工程を示す側面図である。
【図１８】図１７に続く骨髄採取方法の部分工程を示す側面図である。
【図１９】本発明の穿刺針を用いた骨髄採取方法の他の実施形態を示す部分工程側面図である。
【図２０】本発明の穿刺針を用いた骨髄採取方法のさらに他の実施形態を示す部分工程側面図である。
【図２１】図２１ａ〜ｄはそれぞれ本発明のガイドワイヤの他の実施形態を示す側面図である。
【図２２】カテーテルの形態を示す側面図である。
【図２３】図２３ａおよび図２３ｂはそれぞれ図２２のカテーテルの要部拡大斜視図および要部断面図、図２３ｃおよび図２３ｄはそれぞれ本発明に関わるカテーテルの他の実施形態を示す要部拡大斜視図および要部断面図である。
【図２４】図２４ａはカテーテルのさらに他の形態を示す側面図、図２４ｂおよび図２４ｃはそれぞれそのカテーテルの要部拡大斜視図および要部断面図である。
【図２５】骨髄採取方法の他の形態を示す部分工程図である。
【図２６】骨髄採取方法の他の形態を示す部分工程図である。
【図２７】図２７ａは本発明に用いられる穿刺孔確保材の一実施形態を示す側面断面図であり、図２７ｂはその穿刺孔確保材を備えた骨髄穿刺システムの一実施形態を示す側面図であり、図２７ｃはその骨髄穿刺システムを構成する部品の側面図である。
【図２８】骨髄採取方法を示す工程図である。
【図２９】図２９ａは図２７ａの穿刺孔確保材を備えた穿刺孔確保用針システムの一実施形態を示す側面図であり、図２９ｂはその穿刺孔確保用針システムを構成する部品の側面図である。
【発明を実施するための形態】
【００５４】
つぎに図面を参照しながら本発明の実施の形態を説明する。図１ａおよび図１ｂに示す穿刺針１０は、円弧状に湾曲した針１１と、その針の基部に取りつけたグリップ１２とからなる。針１１はステンレス、チタン合金、貴金属合金、コバルト合金などの強度が高く身体への悪影響がない金属製である。レントゲン線が透過できない金属を用いるのが好ましい。針１１は、基端１１ａから先端１１ｂに至る空洞（図２ｂの符号１３参照）を備えた管状を呈している。針１１はいくらか撓む程度の弾力性を備えているが、基本的には湾曲形状を保持する剛性を備えている。前記グリップ１２は棒状を呈し、その中心部が針１１の基端１１ａの外周に固定されている。グリップ１２の材質はとくに制限されないが、金属製あるいは合成樹脂製のものが用いられる。
【００５５】
針１１の先端１１ｂは図２ａおよび図２ｂに示すように、鋭利な錐状あるいは多角錘状の切削部１４を備えている。切削部１４は２面、３面あるいは４面が好ましい。切削部１４の稜線は鋭い切り刃とされており、太い部位１４ａの外径は針１１の他の部分１５の外径より太い。他の部分１５は実質的に同じ外径で延びている。空洞１３は針１１の外径と
同心状に設けられ、針の中心に沿って延びており、基端１１ａでは軸方向に真っ直ぐに開口している。他方、針の先端１１ｂ側では切削部１４の手前側で緩やかに湾曲し、同径の部分１５の端部近辺で開口している。開口部１６は湾曲の内側に設けられており、その向きは針１１の中心線に対して先端側に傾いている。切削部１４は通常は他の部分１５とは別個に製造し、その後、他の部分にろう付けなどで固着する。それにより他の部分１５の可撓性を損なわずに、硬度が高いものを使用することができる。ただし切削部１４と他の部分１５を一体形成してもよい。
【００５６】
前記穿刺針１０は、図３に示すように、ドナーや患者の大腿骨（長管骨）２０の大転子２１に刺入し、髄腔２２に向かって押し進める。そのとき施術者はグリップ１２を握り、前後に押し引きし、あるいは左右に交互に捻って切削部１４の先端および切り刃で骨端部に孔２３を開けながら進める。その孔２３は全体として穿刺針１０の湾曲形状に倣った湾曲形状を呈し、内径は切削部１４の太い部位１４ａの径とほぼ同じである。そのため、孔２３とパイプ状の部分１５の間に隙間が生じ、骨の切削屑はその隙間から、あるいは開口部１６を通って外部に排出される。穿孔作業はレントゲンで透視しながら行うこともできる。
【００５７】
なお、針１１の湾曲形状は少なくとも先端部近辺のみでもよく、それより後部は、圧縮・引っ張り力、あるいは捻り力を伝達することができれば柔軟な素材であってもよい。その場合、剛性を有する湾曲形状の先端部近辺が、途中までできている湾曲した孔２３によって案内される。したがって軸方向への圧縮力あるいは捻り力を伝達することができれば、できている湾曲した孔２３と連続する円弧状に湾曲した孔２３を延長していくことができる。なお、穿孔作業は穿刺針１０の先端が髄腔２２に達するまで行ってもよいが、海綿骨に達した状態で図４に示すようにガイドワイヤ２４を空洞１３に通し、ガイドワイヤ２４で海綿骨２２ａを穿孔するようにしてもよい。
【００５８】
その場合、図４に示すように、開口部１６が湾曲の内側に設けられており、中心線に対して角度θで傾いている。そのため、力のかかり具合と穿刺針１０の通過経路の関係から、骨片が開口部１６に強く押し込まれる可能性が少なくなる。また、穿刺針１０のカーブが不充分で、まだその先端が髄腔２２に真っ直ぐに向いていない状態でも、ガイドワイヤ２４の先端を髄腔２２に向かわせることができ、海綿骨内にガイドワイヤ２４を進めることができる。このように途中からガイドワイヤ２４で穿孔させる場合は、ガイドワイヤで穿孔した孔２３ａは細く、ほぼ直線状になる。しかし後述するように、探索管などで細い孔２３ａを太くすることができ、また、全体を円弧状に穿孔することもできる。
【００５９】
穿刺針１０の空洞１３に通すガイドワイヤ２４は従来公知の可撓性を備えた金属線、たとえばステンレス線からなる。ガイドワイヤ２４は空洞内をスムーズに摺動するように、その外径は空洞１３の内径より細くするほうがよい。ステンレス線の先端は硬くしておくのが好ましい。このガイドワイヤ２４はつぎに探索管やカテーテルを湾曲した孔２３に通すときのガイドとなる。ガイドワイヤ２４を通した後は、穿刺針１０を抜き取るが、その場合もグリップ１２を握って引っ張ればよいので、抜き取りやすい。
【００６０】
図５ａおよび図５ｂに示す穿刺針３０は、内針３１と、その内針３１を収容する筒状の外針３２とを有する芯鞘構造を備えている。内針３１は可撓性を有し、基端に摘み３３が固定されている。他方、外針３２は剛性を有し、湾曲している。外針３２の基端には図１の場合と同様のグリップ１２が固定されている。内針３１は外針３２の内部に往復回動自在あるいは回転自在に収容されている。外針３２は湾曲しているが、内針３１が可撓性を有するので、大きく往復回動させることができ、さらに同一方向に回転を続けることができる。内針３１を外針３２内に軸方向に移動自在に設けてもよいが、移動しないようにインターロックされていてもよい。この穿刺針３０は、グリップ１２を保持し、先端側に押
しながら摘み３３を往復回動させることにより、あるいは回転させることにより、効率的に穿孔していくことができる。
【００６１】
前記インターロック機構は、内針３１を軸方向手前側に移動しない状態と、移動可能な状態に切り換える操作ができるものが好ましい。その場合は、移動可能な状態に切り換えて内針３１を外針３２から抜き取ることができ、ガイドワイヤを挿入するときに外針３２によって案内させることができる。前記内針３１は、たとえばバネ鋼線などの可撓性が高い線材等から構成することができる。外針３２はステンレスなどの金属製の管ないしチューブから構成することができる。
【００６２】
図６ａおよび図６ｂの穿刺針２５は、空洞１３の先端側の開口部１６が切削部１４の面に設けられている。他の部分は図２ａ、図２ｂの穿刺針１０と同一である。この穿刺針２５は開口部１６が切削部１４に設けられているので、切削により生じた骨片を開口部１６から外部に容易に排出することができる。
【００６３】
図７ａの穿刺針３５は、可撓性を有する内針３６と、その内針をガイドする湾曲した外針３７とを備えた芯鞘構造にされている。内針３６は空洞が設けられていない点を除けば後述する図８の内針３１と実質的に同じである。すなわち図７ｂに示すように、内針３６は先端に多角錘状の切削部３４を有し、円筒状の外針３７内に往復回動自在あるいは回転自在に収容されている。このような空洞を有しない内針３６を用いる場合は、内針３６を外針３５から抜き取ることができるように構成する。それにより、図９に示すように、内針３６を抜き取った後の外針３７内にガイドワイヤ２４を通すことができる。
【００６４】
図８に示す内針３１は、先端部に図２の切削部１４と同様の角錐状の切削部３４が設けられている。ただしこの切削部３４には太い部分（図２ａの符号１４ａ参照）が設けられておらず、同径で連続する部位１５から先端に向かって傾斜している複数の面によって構成されている。そのため先端側から外針３２に挿入することが容易である。このような切削部３４を設けているので、内針３１を外針３２内で往復回動あるいは回転させることにより、骨を穿孔することが容易である。さらにこの内針３１は図２ａの穿刺針１０と同様に軸方向に延びる空洞１３を有し、その空洞１３は切削部３４よりいくらか後方で側面に開口している。そのため、切削した骨片は空洞１３を通して排出することができる。
【００６５】
なお図８の内針３１の材料として剛性を有する材料を用い、所定の湾曲形状に構成する場合は、図２ａ、図２ｂの場合と同様にそれ自体で穿刺針として用いることができる。また、このような剛性を備えた内針３１の外周に可撓性を備えた筒状の外針３２を装着したものも、穿刺針として用いることができる。その場合は外針の先端に切り刃を設け、内針３１をガイドとして外針３２を回転させながら進行させることができる。本発明の芯鞘構造の穿刺針には、このような内針が剛性を有し、外針が可撓性を有するものも含まれる。
【００６６】
図１０の穿刺針３８は、内針３１と外針３９とからなる芯鞘構造を備えている。内針３１は空洞１３および側面の開口部１６を備えており、外針３９は側面に開口部４０を備えている。このものは内針３１の開口部１６と外針の開口部４０を揃えると、空洞１３が開口部１６、４０を介して外部と連通する。その状態では図４の場合と同様に、基端側からガイドワイヤを挿入し、先端側の開口部１６、４０からガイドワイヤの先端側を導き出すことができる。
【００６７】
図１１の穿刺針４１は、円柱状の線材を斜めの傾斜面４２で切断した形状の切削部４３を有する内針４４と、その内針４４の外周に設けた外針３９とを備えている。このように内針の切削部の形状は、前述の多角錘状のものに限らず、このような１面の傾斜面４２と円筒状の外周面との間の稜線で切り刃を構成したものであってもよい。このような切削部
４３であっても、回転あるいは往復回動させることにより、骨を穿孔していくことができる。
【００６８】
図１２ａの穿刺針４５は、筒状の外針３９の先端に鋸刃状の切削部４６を形成している以外は、図７ｂの穿刺針と同一である。その切削部４６は図１２ｂに示すように、環状に配列された複数個の三角形状の歯から構成されている。歯の数はとくに限定されないが、通常は３〜４個で充分である。そして外針３９を回転あるいは往復回動させると円状の溝を切削することができる。このものは内針３６を往復回動させたり、一方向に回転させることにより、内針３６の切削部３４で穿孔することができ、さらに外針３９をわずかに往復回動させることにより、外針３９の切削部４６の断面形状に応じた環状溝を切削することができる。それにより効率的に穿刺しうる。なお、前述したように、内針３６として剛性を備えた湾曲した線材を用い、その外周に可撓性を有する筒状の外針３９を設ける場合も、このような鋸刃状の切削部４６を設けると、効率的に穿孔していくことができる。
【００６９】
図１３ａに示す穿刺針４７は、その外周にスリーブ４８を摺動自在に設けている。スリーブ４８の先端にはＶ字状の切り欠き部４９を形成している。穿刺針４７は図１などの穿刺針と同様に、剛性を備え、先端には角錐状の切削部１４を有する断面円状の線材である（図１３ｂ参照）。スリーブ４８の切り欠き部４９は、穿刺針４７が図１３ａのように突出しているときは図１３ｄのように開き、穿刺針４７が引っ込んでいるときは図１３ｃのように閉じるための開閉機構を構成している。なお、閉じる作用はスリーブ４８の先端部自体の弾力性によって行わせるのが好ましい。スリーブ４８は可撓性を有する材料、たとえば合成樹脂などが用いられる。ただし薄い金属等によっても構成することができる。このような開閉機構を設けると、穿刺針４７を皮膚の表面に突き刺すときに、穿刺針４７の先端が皮膚に触れにくくなり、皮膚の表面の細菌によって汚染されにくくなる。そのため、穿刺針４７を何回も挿入する作業中に、細菌が体内に入るのを防止することができ、感染防止に役立つ。
【００７０】
図１４ａは切り欠き部４９を４個所にしたスリーブ５０を示している。このものは可動片５１の開閉が容易である。図１４ｂに示すスリーブ５２では４個所の切り欠き部４９を形成すると共に、１枚の可動片５３が他の可動片５１に比していくらか長くされている。このものは図１４ｃに示すように可動片５１、５３が閉じたとき、開口５４が側方（図では上側）に形成される。そのためガイドワイヤを側方に方向変換しながら案内する場合でも、細菌が隙間から入りにくい。図１４ｄに示すスリーブ５５は長い可動片５３の先端が鋭くされている。このスリーブ５５は、内針を抜いたときに内針で開けた穴に残しやすく、また、穴の中で前後にずれたときに元の位置に戻りやすい。さらに万が一、骨から抜けたときでも、開けた穴を探しやすい利点がある。
【００７１】
つぎに図１の穿刺針１０を用いて長管骨の骨髄を採取する方法を説明する。この方法は本発明の骨髄採取方法の実施形態でもある。まず概略的に説明すると、図３に示すように、管状骨２０の骨端で、関節部分を外して穿刺しやすい部分に細くカーブした穿刺針１０を突き立て、穿刺部位から海綿骨内に穿刺針１０を押し進める。そして海綿骨内で穿刺針１０の先端が髄腔２２ａ内に向くようにし、そのまま穿刺針を進め、もしくは海綿骨に穿刺針１０の先端が到達した後、図１５に示すようにガイドワイヤ２４を通し、ガイドワイヤの先端で海綿骨を穿ちながら貫通させ、髄腔２２内に至らしめる。さらにガイドワイヤ２４を残して穿刺針１０を抜き、図１６に示すように、探索管６０をガイドワイヤ２４に沿って装着し、髄腔２２に至る経路を確保する。そして探索管６０から骨髄のサンプルを採取し、あるいは図１７〜１９に示すように採取用のカテーテル６１を装着して多量の骨髄を採取する。このように本発明では、カーブした穿刺針１０と、それに付随するカテーテル６１などとの組み合わせによって、容易に誰でも確実に管状骨から骨髄を採取する方法、およびその方法を容易に行いうるキット器具を提供する。
【００７２】
本発明で、従来技術との大きい相違は、管状骨の骨端で関節構造から離れた側面から細くてカーブした穿刺針を刺入させ、骨内で針の先端方向を骨髄に向ける手法を採用している点である。すなわち従来の真っ直ぐな穿刺針を用いる場合は、骨端から軸方向に挿入するか、あるいは骨端近辺から斜めに刺入する必要があったが、骨端部には関節があることや、骨の長軸が体軸と同じ方向にあることから、刺入が困難であった。本発明では湾曲した穿刺針を用いるので、骨端部における側面に対して直角あるいはそれに近い角度で刺入させることができる。それにより刺入が容易で、ドナーや患者にかける負担が少ない。
【００７３】
すなわち骨端部の骨表面にある骨皮質部分は骨幹部の緻密層に比べて薄いが、骨端部といえども皮質は硬くて穿孔しがたい。そこで本発明では、穿刺針の先端を鋭利な錐状構造を持たせ、容易に皮質を破ることができるようにした。ところで、先行技術の多くは、穿刺針の先端を鋭利な状態にして、針を力強く骨に突き立てることで骨皮質を破っていた。そのため、過剰な力が入り、骨表面で針先が滑り軟部組織を深く刺すことによる事故も報告されている。そのため、多くの先行技術で針が深く入らないように安全装置のストッパが考案されてきた。しかしながらこのように力任せに強く針を押し入れるよりも、ねじ込む方が力が少なくて済むことから、先端にドリル構造を持たせた技術として特許文献３が報告されている。この方式を用いると、針の長軸方向に力を加えなくても、穿刺針を進めることが可能であり、安全である。これに対し、本発明では、穿刺針の先端に錐状の切削部を設けている。それにより、穿刺針を回転させつつ軽く押し進めると、硬い骨皮質も過剰な力を入れることなく、穿つことができる。この構成によって、過剰な力は不要となり、そのため、過度に刺入する事を防ぐ安全装置を組み込む必要がない。
【００７４】
さらに本発明の方法では、骨髄採取の対象骨が従来技術が対象とする骨に比べて厚くて太く大きいことから、力を入れて穿刺針を押しても、その骨を貫通することは少ない。また、このような骨の多くは周囲に重要な臓器が少なく、大きい筋肉に囲まれているので、針先が滑って周囲臓器（皮膚を含む）を刺したとしても、副損傷による実害が少ない。
【００７５】
前述のように穿刺針で皮膚を破り、穿刺針の先端を海綿骨内に押し進める操作を行うが、海綿骨の厚さは個人差によって、年令によって、あるいは性差によって、さらには運動習慣や生活習慣などの違いによって大きく異なっている。さらに同じ人物でも、左右によって異なる。したがって、海綿骨層が薄い人では前述した操作によって穿刺針の先端がそのまま髄腔に達することもあるが、多くは到達できない。そこで前述したように、穿刺針の空洞にガイドワイヤを挿入し、あるいは二重構造の場合は内針を抜いて外針内にガイドワイヤを挿入して、海綿骨を穿孔させて髄腔内に到達させるようにする。
【００７６】
海綿骨は幸いにしてこの程度のガイドワイヤでも充分に貫通させうる構造をもつ。しかし少し抵抗があるので、それを押し進めると、髄腔内に入ったところで急に抵抗がなくなり、容易にガイドワイヤを押し進めることができるようになる。そしてさらに進めると、反対側の骨端部の内面に当たって止まる。止まる位置は骨の長さで決まるので、どの程度で止まるかは容易に予測できる。もしも予測を超えて挿入可能であった場合は、そのガイドワイヤは骨内に入っていないと考えるべきである。
【００７７】
上記のガイドワイヤは、海綿骨内を突き進む必要があるので、先端にはある程度の硬度が要求される。しかし骨端末を探る必要がある場合には、過剰な刺激は好ましくない。そこでこのようなときにも使用できるように、他の端末には柔軟性を持たせておくと便利である。
【００７８】
穿刺針などで骨皮質を刺入するのに力が必要であると同時に、皮質を破って骨外に出すにも大きい力が必要である。そのため、通常は一度骨皮質を破って海綿骨内の髄腔に入っ
たガイドワイヤの先端は、再び骨外に出ることはない。もし出るとすれば、それは最初から骨皮質を破っていない段階でガイドワイヤを押し進めた結果であり、そのような結果を招かないように、確実に骨皮質を穿つように配慮する必要がある。その確認のため、レントゲン透視を併用することが好ましい。
【００７９】
上記のようにしてガイドワイヤ２４が髄腔２２に至ると、次に図１６に示すように、穿刺針１０を抜去し、代わりに探索管６０をガイドワイヤ２４でガイドさせながら海綿骨内を押し進める。探索管６０は筒状の部材であり、ガイドワイヤ２４に沿ってカーブを進むだけの屈曲性（可撓性）、とくに穿刺針１０で形成されるカーブした孔（図４の符号２３参照）からガイドワイヤ２４で形成される直線状の細い孔まで進むだけの屈曲性を備えている。また、先端は必ずしも穿刺針の場合のような切削可能な鋭い先端構造は不要であるが、海綿骨を突き進むに耐えうる硬度を有する。さらに基端には、骨髄のサンプルを吸引する手段、たとえば注射器の接続が可能な形態を備えていることが好ましい。図１６の場合は、拡径した円筒状の部分６２が接続部として設けられている。このようなガイドワイヤ２４は、柔軟性を有する金属で作成してもよいし、合成樹脂材料で作成しても構わない。
【００８０】
つぎに探索管６０が骨内に約１０ｃｍ以上入ったところでガイドワイヤ２４を抜去し、探索管６０の基端に注射器を取り付け、吸引を行い、骨髄を吸引することができるかどうかのテストを行う。これで骨髄が出なければ、さらにガイドワイヤ２４を挿入し、そのガイドワイヤに沿って探索管６０を押し進め、骨髄が吸引できるところまで進める。３０ｃｍ以上進めても骨髄を吸引できないときは、その骨に骨髄がないものとして諦めるが、高齢者であっても、多くの場合は１５ｃｍ挿入以内で骨髄を吸引できるレベルに達する。この操作は探索管６０による純的な海綿骨内管腔拡張作業となる。
【００８１】
上記のようにして探索管６０が髄腔２２に至ると、再びガイドワイヤ２４を探索管の中に通し、ガイドワイヤを残した状態で探索管６０を抜去し、代わりに図１７に示すカテーテル６１を挿入する。この操作を容易にするためには、穿刺針１０と、探索管６０およびカテーテル６１の太さをほぼ同一にしておくことが望ましい。通常は１２ゲージから１５ゲージ程度の静脈留置針程度、すなわち内径が１．４ｍｍから２．４ｍｍ、外径が１．８ｍｍから２．８ｍｍ程度の太さに合わせておくと好都合である。フレンチの表現では、５フレンチから８フレンチ程度のカテーテルであれば、容易に骨髄を吸引できる。このようなガイドワイヤ使用技術は、血管内にカテーテルを挿入するときに用いるセルジンガー方式を転用する考え方であり、血管用のカテーテルと同じ材質、構成のものを用いることができる。セルジンガー方式に関しては、たとえば特許文献５にその一部の記載があり、その既存の技術の考え方を転用することが可能である。
【００８２】
一般的にセルジンガー方式で血管内にカテーテルを挿入する場合、血管壁は柔軟であるため、ガイドワイヤに沿って初回に使用する穿刺針より太いカテーテルの挿入も可能である。しかしながら、骨にカテーテルを刺入させる場合は、血管の場合のような太いカテーテルを挿入することはできない。少なくとも骨皮質部分は硬いため、穿った孔のサイズ以上の太いカテーテルを挿入することは困難である。そのため、図１７に示すカテーテル６１の場合は、前述したとおり、探索管であらかじめ必要とされるサイズの貫通孔を確保し、カテーテルの太さはそれに合わせておくことが肝要である。
【００８３】
カテーテル６１は骨髄を吸引するのみならず、骨髄浮遊液を髄腔２２で作るために生理的食塩水などの希釈液を送り込む経路として用いられる。そのため、図１８に示すカテーテル６１では、基端部が２本に分岐した形態を有し、一方の接続部６３には生理的食塩水を充填した輸液バッグ６４を接続し、他方の接続部６５には吸引用の注射器６６を接続している。そしてそれぞれの接続部には、切り換え用の三方活栓６７、６７が設けられてい
る。それにより、１本のカテーテル６１であっても、それぞれの三方活栓６７、６７を切り換えながら輸液バッグ６４から生理的食塩水を注入したり、注射器６６で骨髄浮遊液を吸引することができる。
【００８４】
なお、図１８の医療器具では、カテーテル６１内に、先端部に屈曲した攪拌部６８を備えたガイドワイヤ６９が通されている。この先端を屈曲させたガイドワイヤ６９は通常のガイドワイヤと同じ金属製のワイヤで構成しうるが、海綿骨を穿孔する真っ直ぐなガイドワイヤとは別個のガイドワイヤとする。このような攪拌部６８を備えたガイドワイヤ６９を回転させて髄腔２２内を攪拌すると、髄腔の骨髄を隅々まで摺り取ることができると同時に、髄腔内で骨髄の浮遊液を作ることができる。それにより細いカテーテルからでも、容易に骨髄の末梢血の混在を抑えて採取することが可能になる。たとえばポリエチレン、ポリアミド（ナイロン）、ポリウレタン、テトラフルオロエチレン（テフロン（登録商標））などの合成樹脂が用いられる。また、ステンレス、チタン合金、コバルト合金、形状記憶合金などの金属を用いることもできる。
【００８５】
上記のように、カテーテル６１は生理的食塩水を注入すると共に、骨髄浮遊液を吸引するので、図１９に示すように、２本のカテーテル６１ａ、６１ｂを挿入するか、１本であってもダブルルーメンなど、マルチルーメンであればその操作が容易になる。たとえば図１８の場合は、生理的食塩水を注入するルーメンと、骨髄浮遊液を吸引するルーメンと、攪拌用のガイドワイヤ６９を通すためのルーメンの３本のルーメンを備えたカテーテルが望ましい。しかしそのような構造のカテーテルを挿入する場合でも、大きな孔を骨に明けることはできるだけ避けなければならない。そのため、細いカテーテルを追加挿入し、役割分担を行うことが望ましい（図１９参照）。
【００８６】
このようなことを満足させるには、まず患者負担を軽くするために、挿入するカテーテル６１が細くなければならない。ヒトや大型の哺乳動物の大腿骨はその先端の直径が約２ｃｍ程度であり、その部分には周辺の筋肉の腱が付着している。そのため、この部分に大きな孔を明けると骨構造を破壊し、後々に障害が起きると共に、穿刺後の骨治癒も遅れて持続した疼痛が残るおそれがある。そのため、カテーテルの太さはできるだけ細いほうが好ましく、たとえば外径を６ｍｍ以内、好ましくは４ｍｍ以内、さらには３ｍｍ以内、さらには２ｍｍ以内に抑えることが望ましい。
【００８７】
カテーテルのサイズとしては、内径が１．５ｍｍあれば骨髄の吸引に充分である。しかしながら、髄腔内の小さな骨片を引き込むことがあるので、さらに太い方が有利である。しかしながらダブルルーメンの構造にしても、外径は前述したとおり、最大限で６ｍｍ以下で、できるだけ細い方が好ましいので、内径を多く稼ぐためには、肉薄の高分子材料によって製造することが望ましい。
【００８８】
図１８のように、輸液バッグ６４から生理的食塩水を注入しつつ、ガイドワイヤ６９で攪拌し、同時に注射器６６で骨髄浮遊液を吸引する場合は、カテーテル６１内には生理的食塩水を満たしておくことが肝要である。すなわち骨髄腔内は末梢の血管との交通が緻密に形成されているので、カテーテル内に空気があると、その空気が血管内に吸い込まれる可能性があるからである。この条件を満たすため、図１８の装置では、カテーテル６１の手元端に注射器６６を接続できる構造を持たせている。そして医療の現場で多用する三方活栓６７を介して接続している。また、その先端には、一般に血管のカテーテル操作に使用する逆流防止弁を接合させるのが好ましい。それにより、生理的食塩水の液漏れを防ぎながら、ガイドワイヤを通す構成を維持することができる。
【００８９】
髄腔は単純な筒状の形態をしているのではない。髄腔内の中央部分は寒天のゲル程度の固さの骨髄が詰まっているが、髄腔内面は平滑ではなく、骨組織が複雑にせり出してきて
、迷路状の構造を作っている。その迷路のそれぞれにも骨髄が充満している。それらを可能な限り掻き出して取り出すには、単純な吸引のみでは不可能である。前述した非特許文献３では、硬性のカテーテルを通した部分のみ、寒天を吸引することが可能であったとの記載がある。単純な吸引では少量の骨髄しか吸引できない。さらに環流方式を併用しても、骨髄はある程度の固さと構造を持っているので、容易には吸引できず、採取量は限られるのが実状である。
【００９０】
図２０に示す医療器具では、カテーテル７１自体の先端を屈曲させることにより攪拌部７２を設けている。それによりカテーテル７１を回転あるいは往復回動させることにより、髄腔攪拌を行うことができ、採取率を向上することができる。さらに採取率を向上させるには、図２１ａ〜ｄに示すような専用の攪拌ワイヤ７３〜７６の使用を推奨する。すなわち先端に屈曲部７７を設けた攪拌ワイヤ７３（図２１ａ参照）や、その屈曲部にコイル状のブラシ構造７８を設けた攪拌ワイヤ７４、あるいは湾曲部７９を設けた攪拌ワイヤ７５、あるいはマルチフィラメントで構成され、部分的にモノフィラメントにばらけて篭状に拡がる構造８０を持たせた攪拌ワイヤ７６を用いるのが好ましい。これらの専用の攪拌ワイヤ７３〜７６を骨髄腔内で回転させたり前後に動かすことで、骨髄組織を充分に攪拌しうる。そして同時に生理的食塩水を注入することで、骨髄組織浮遊液を効率よく髄腔で作ることができる。それにより骨髄の採取率を大きく向上させることができる。なお、混合液として採取した骨髄は、生理的食塩水と共に患者や治療対象動物に移植する場合は、そのまま、あるいは希釈度を調整して移植することができる。また、遠心沈澱などによって骨髄と生理的食塩水とを分離して保存することもできる。
【００９１】
図１９の骨髄採取方法では、長管骨の一端に、前述の穿刺針やガイドワイヤ、検索管を用いて２カ所の孔を形成し、一方のカテーテルから生理的食塩水を注入し、他方のカテーテルから骨髄を吸引している。この場合、一方の孔を長管骨の下端に形成することもできる。しかし一度外部に出した液は戻す環流方法は採用せず、常に新しい液を注入するのが好ましい。それにより骨髄内をできるだけ清潔に保つことができ、感染の機会を減らすことができる。
【００９２】
図２１に示す専用の攪拌ワイヤ７３〜７６は、図１８および図１９に示すように、生理的食塩水注入用のルーメンあるいはカテーテルを介して挿入すると好都合である。しかし役割分担を考えて、３孔のマルチルーメンのカテーテルを用いることも可能であり、また、３本の細いカテーテルを挿入することも可能である。
【００９３】
骨髄を採取する管に折れ曲がりを持たせる工夫は特許文献６に記載がある。これによると、先端が折れ曲がった管を進めることによって、効率よく組織を採取すると記載されている。図１８、図１９、図２０、図２１の場合は、単に折れ曲がりのみならず、これに回転運動を可能とすることで、髄腔で骨髄を骨の内面壁から剥離させ、吸引採取を容易にしている。このとき、同時に、カテーテルの先端から生理的食塩水を流し込むことで、骨髄腔内で骨髄の浮遊液、細胞懸濁液を作製しうる。このようにすると、単純な吸引でも容易に骨髄を骨髄腔内から採取可能となる。
【００９４】
図２０の場合はカテーテル自体に屈曲を設けている。そのカテーテルの屈曲程度に関しては、骨髄腔をかき回すに必要最小限のカーブとサイズで充分である。具体的にはカテーテルの先端から約１ｃｍ、２．５ｃｍ、４ｃｍ程度のところに、それぞれ約１２０度のカーブをもつ屈曲を一つずつ、全部で３カ所設けると、そのカテーテルを骨髄腔内で回転させ、あるいは前後させることで、骨髄腔を攪拌でき、骨髄浮遊液を効率よく作りうる。なお、屈曲部は１〜５カ所程度が好ましい。
【００９５】
専用の攪拌ワイヤの構造に関しては、カテーテルと同じような屈曲を持たせてもよいし
（２１ａ参照）、さらには金属や高分子繊維などで起毛したブラシを付けることも考え得る。しかしながら、髄腔にこれらのブラシ片が脱落する危険性を考えると、決して脱落しない構造を選ばねばならない。そうなると単にマルチフィラメントのワイヤの先端部分を個々のモノフィラメントに分散させる程度の構造（図２１ｄ参照）でも骨髄攪拌には充分なる威力を発揮する。攪拌程度が少ない場合は、繰り返し同じ動作を行うことで攪拌効果が上がる。さらに、この先端部分に形状記憶性を持たせることによって、挿入するときは１本の線となり、体温と同じ３７℃付近でブラシ効果を発揮するような構造にすることもできる。たとえば図２１ｄのように所定の温度ではマルチフィラメントが個々のモノフィラメントに分かれて拡がって篭状を呈し、低温ではまっすぐになる。
【００９６】
これらに用いるワイヤやカテーテルは、手元で回転させることによって先端部分もそれに合わせた回転が要求される。そのためトルク伝達性に優れた素材を選別する必要がある。カテーテルは挿入部分がカーブすることをはじめとして、さらには骨幹部が必ずしも真っ直ぐでなくカーブした構造であることから、屈曲性ないし柔軟性が要求され、ステンレスなどの硬性ないし剛性の管は採用できない。カテーテルも攪拌ワイヤも、それらを手元で回転させている最中に先端が捩れて絡まり、抜去不可能な事態にならないように、よじれ、絡みの生じにくい材質を選別する必要がある。
【００９７】
そのように配慮したにしても、抜去するときに抵抗が感じられた場合には、レントゲン透視にてカテーテルやワイヤの先端状況を確認するのが望ましい。このことを容易に実現できるように、カテーテルやワイヤの先端には、レントゲン造影性が高い材料を用いるか、コーティングするのが好ましい。そして問題があれば、躊躇なく整形外科医師に相談することも必要である。このときも、全ての挿入するカテーテル内には、生理的食塩水を満たしておくことを推奨する。空気を髄腔内に入れては行けない。したがって、攪拌装置にあっても、一般的なカテーテル操作に準じて逆流防止弁を付けて操作することが好ましい。上記の髄採取方法では、このような穿刺針と探索管、攪拌ワイヤ、カテーテルの組み合わせによって長管骨の中から髄液を容易に得ることが可能である。
【００９８】
図２２に示すカテーテル８１はシングルルーメンタイプのカテーテルであり、図２３ａおよび図２３ｂに示すように、先端の開口８２のほか、近辺の側壁を貫通する側孔８３を設けている。側孔８３は両側にそれぞれ一列で複数個、この実施形態では３個設けている。ただし片側のみに設けてもよく、１個、２個あるいは４個以上設けてもよい。また、一列に配列せず、ランダムに設けることもできる。側孔８３は図２３ａでは円形にしているが、形状には限定されない。たとえば図２３ｃ、図２３ｄに示すように、長円形ないし楕円形の側孔８３ａにすることもでき、また、矩形など他の形状にすることもできる。
【００９９】
このカテーテル８１は図２２に示すようにＴ字状の三方活栓６７のまっすぐに延びている管の一端６７ａに連結し、上向きの管６７ｂに生理的食塩水を導入する輸液バッグ６４を連結して用いる。まっすぐに延びている管の他端６７ｃからは、カテーテル８１を骨内まで案内するためのガイドワイヤを通したり、骨髄攪拌用のワイヤ８４を挿入するため、さらに生理的食塩水と骨髄の混合液を吸引する注射器を連結するために用いる。すなわちカテーテル８１のルーメンは、（１）生理的食塩水を注入するルーメン、（２）骨髄攪拌用のワイヤ（あるいはカテーテル案内用ガイドワイヤ）を通すルーメンおよび（３）生理的食塩水と骨髄の混合液を採取するルーメンの３つの役割を果たす。
【０１００】
三方活栓６７のレバー６７ｄは、まっすぐに延びている管の一端６７ａと他端６７ｃとを連通する状態と、一端６７ａと上向きの管６７ｂとを連通させる状態とを切り換え操作するためのものである。
【０１０１】
上記のように側孔８３を設けたカテーテル８１は、生理的食塩水と骨髄との混合液を吸
引する場合、先端の開口８２で吸引するだけでなく、側孔８３からも吸引することができる。そのため、カテーテル８１の先端近辺の周囲の広い範囲から骨髄を採取することができる。そしてカテーテル８１を髄腔に沿って移動させながら吸引することにより、髄腔内の骨髄を効率的に採取することができる。なお、生理的食塩水を髄腔内に注入する場合も、先端の周囲に広く注入することができ、効率的に骨髄と生理的食塩水とを混合することができる。
【０１０２】
図２４はダブルルーメンタイプのカテーテル８６の実施形態を示している。このカテーテル８６はその長手方向に沿って図２４ｂおよび図２４ｃに示すように隔壁８７によって２本のルーメン８８、８９に区画されている。そして先端近辺の側壁には図２２の場合と同様の側孔８３が形成されている。側孔８３は隔壁８７を挟んで左右の側壁に設けることもでき、一方の側壁のみに設けることもできる。また、図２３ｃ、図２３ｄのような長円状ないし楕円状にしたり、矩形状にすることもできる。
【０１０３】
このダブルルーメンタイプのカテーテル８６は、たとえば図２４ａのように分岐用のコネクタ９０に連結し、図２４ａの上側のルーメン８８で生理的食塩水を注入しながら、下側のルーメン８９に骨髄攪拌用のワイヤ８４を通して同時に生理的食塩水と骨髄を攪拌したり、ワイヤを抜いた後、吸引用の注射器を接続して攪拌した混合液を吸引することができる。また、上側のルーメン８８から生理的食塩水を注入した後、攪拌用ワイヤを挿入して髄腔内を攪拌しながら下側のルーメン８９から混合液を吸引することもできる。
【０１０４】
前述のシングルルーメンタイプのカテーテル８１もダブルルーメンタイプのカテーテル８６も用いられる。図２４ａのカテーテル８６は２本のルーメン８８、８９を備えたダブルルーメンであるが、３本以上のルーメンを備えたマルチルーメンとすることもできる。その場合は生理的食塩水を注入する操作と、攪拌用のワイヤで髄腔内を攪拌する操作と、髄腔内から混合液を吸引する操作を同時に行うこともできる。また、交互に行う場合も、輸液バッグ、ワイヤ、吸引用の注射器あるいはシリンダや真空ポンプを連結し直す必要がないので、効率的に骨髄採取を行うことができる。
【０１０５】
つぎに図２５および図２６を参照して本発明の骨髄採取方法、とくにカテーテルを導入するまでの他の実施形態を説明する。図３などの穿刺工程では、はじめに湾曲した穿刺針を用いて湾曲した孔を骨端部に形成しているが、図２５の場合はほぼ直線状の穿刺針９２と、先端が湾曲したパイプ状の針状デバイス９３とを組み合わせて用いる。
【０１０６】
すなわち図２５の第１ステップＳ１では、まず直線状の内針９４と、その内針を抜き取り可能かつ回転可能に挿入する直線状の外針９５とからなる芯鞘構造の穿刺針９２を用いて、大転子２１に直線上の孔９６を形成する。孔９６は髄腔２２側に向かって斜め方向に形成する。穿刺針９２の内針９４および外針９５はそれぞれ図６の穿刺針３０の内針３１と外針３２とほぼ同様であるが、湾曲せずに直線状を呈している。外針９５あるいは内針９４の先端を錐状にしたり、切り刃を設けたりすること、外針９５にグリップ１２を設けること、内針９４に摘み３３を設けることも同様である。なお、直線状であるため、内針に可撓性をもたせる必要はない。また内針９４は中空にする必要がなく、中実でよい。ただし必要によっては中空パイプ状にすることもできる。芯鞘構造の穿刺針のほか、図１と同様の鞘がない穿刺針を用いることもできる。なお図２５の符号９７は骨皮質であり、符号９８は骨頭である。
【０１０７】
ついで図２５の第２ステップＳ２において、内針９４を抜き取り、外針９５内にガイドワイヤ２４を挿入する。このガイドワイヤ２４は図４の場合と同じものでよい。外針９５が真っ直ぐで、形成した孔９６が斜めである場合、その外針９５と髄腔の角度によっては、ガイドワイヤ２４は髄腔２２の奥の方までは入れることができない。
【０１０８】
その場合、ガイドワイヤ２４を残したまま外針９５を抜き取り、ガイドワイヤ２４を案内として中空パイプ状の針状デバイス９３を挿入する（図２５の第３ステップＳ３）。針状デバイス９３は図１６の探索管６０とほぼ同様であり、骨組織に形成した孔９６を拡張することもできる。ただし針状デバイス９３の全体あるいは先端部は湾曲しており、内部空洞は先端で開口している。なお開口は側面で開口していてもよい。その場合は湾曲の内面側で開口するのが好ましい。湾曲している針状デバイス９３を直線状の孔９６に通すため、針状デバイス９３は可撓性および弾力性を備えている。針状デバイス９３は探索管６０と同様に、金属あるいは合成樹脂で構成することができる。針状デバイス９３の端部にはグリップ９３ａが取りつけられている。
【０１０９】
針状デバイス９３を孔９６内に通していき、先端が孔９６から髄腔２２に入ると、弾力性により針状デバイス９３の先端が湾曲した状態に戻る。それによりガイドワイヤ２４の向きが髄腔２２の奥の方を向く。それによりガイドワイヤ２４を押し進めていくことにより、その先端を髄腔２２の奥の方まで案内することができる。それらの操作はレントゲンで監視しながら行う。
【０１１０】
一旦ガイドワイヤ２４が髄腔２２の奥深くまで挿入されると、図２６に示すように、ガイドワイヤ２４をその状態で留置しておき、針状デバイス９３を抜き取り、カテーテル６１をガイドワイヤ２４に沿って挿入していく。それによりカテーテル６１の先端が髄腔２２の奥深くまで案内される（図２６の第４ステップＳ４）。その後は図１８などと同様に、髄腔２２内の骨髄に生理的食塩水を注入し、混合攪拌しながら骨髄を吸引して採取する。
【０１１１】
上記の直線状の穿刺針９２と湾曲した針状デバイスとを用いた骨髄の採取方法は、穿刺針９２が真っ直ぐであるので、力が必要な骨皮質に孔９６を形成するのが比較的容易である。なお、針状デバイス９３は前述のように探索管と似ているので、１本の針で探索管と針状デバイスとを兼用させることもできる。なお針状デバイスとして、湾曲せず、図５ａなどと同様の側孔を備えたものを採用することもできる。その場合は、一旦、ガイドワイヤを抜き、針状デバイスを孔に挿入した上で、再度針状デバイスの内部空洞にガイドワイヤを通し、ガイドワイヤの先端を側孔から出す。それによりガイドワイヤの向きを髄腔側に向けることができる。
【０１１２】
つぎに図２５および図２６の本発明の骨髄採取方法に用いることができる穿刺孔確保材について説明する。
図２７ａに示す穿刺孔確保材１００は、空洞を有する穿刺孔確保用針１０１と、その上端に設けられ、穿刺孔確保用針の空洞に通じている連通孔１０２を有するフランジ部１０３とからなる。また、この穿刺孔確保材のフランジ部１０３の上端には空洞を有する補助具１０４を取り付けることができる。そして、このように補助具１０４を取り付けた穿刺孔確保材１００に穿刺針９２を挿入し、骨髄穿刺システム１０５として使用するものである（図２７ａ、図２７ｂ参照）。
【０１１３】
この穿刺孔確保用針１０１は下端が鋭利な錐状の切削部１０６を備えている。この切削部１０６はその下端が斜めにカットされた一面カット形状である。このように設けることにより穿刺孔確保用針１０１を回転させながら骨皮質に穿刺することができる。しかし、切削部１０６は多角錘状であってもよい。またこの切削部１０６は、穿刺針９２の下端の切削部１４と同じ形状であり、穿刺針９２を補助具１０４に取り付けたとき、切削部１４および切削部１０６の面は揃うように構成されている。また、骨髄穿刺システム１０５を一体として錐のようにして用いてもよい。
【０１１４】
このように構成されているが、穿刺孔確保用針の切削部１０６にて穿刺部位を固定し、穿刺孔確保材１００内で穿刺針９２を回転させることにより、穿刺針９２を骨皮質にある程度食い込ませる工程と、穿刺孔確保用針１０１にて穿刺部位を固定しながら穿刺針９２を回転させることにより、穿刺孔確保用針１０１を骨皮質に食い込ませる工程とを交互に行うことにより、穿刺孔確保材１００を固定することができる。この場合、穿刺孔確保用針１０１と穿刺針９２の切削部の二点で穿刺部位を支持しながら穿刺するため、穿刺孔確保材はぶれることなく固定される。
また、フランジ部の連通孔１０２には、フランジ部１０３から穿刺孔確保用針１０１の方向への液体の流れを許し、逆方向の流れを阻止する逆止弁１０７が設けられている。これにより抹消血および骨髄液の流出を防止し、さらには感染を防止することができる。
【０１１５】
この穿刺孔確保材１００を用いて骨髄を採取する場合、まず穿刺孔確保材１００に補助具１０４を取り付け、穿刺針９２を挿入した骨髄穿刺システム１０５を骨の大転子に対して穿刺する（図２８ａ参照）。そして、穿刺孔確保用針１０１の先端が骨皮質に食い込み、しっかり固定されたら穿刺針９２を抜き、補助具１０４を穿刺孔確保材１００から取り外す。これにより穿刺孔確保材１００が骨皮質に固定される。この穿刺孔確保材１００に再度穿刺針９２をフランジ部の連通孔１０２から挿入し、穿刺針９２の先端が髄腔内に届くまで穿刺する（図２８ｂ参照）。
【０１１６】
穿刺針９２による穿刺後は、穿刺針９２の内針９４を抜き、ガイドワイヤ２４を挿入する（図２８ｃ参照）。このときガイドワイヤ２４の向きと髄腔２２の軸との間には若干の角度があるが、ガイドワイヤ２４の先端は髄腔２２の側壁にそって進み、髄腔２２の奥まで挿入される。このとき穿刺角度が大きくガイドワイヤ２４が入りにくい場合、図２５で用いた空洞を有する針状デバイス９３を使用することによりガイドワイヤ２４を容易に髄腔２２の奥まで挿入することができる。ガイドワイヤ２４を挿入した後、穿刺針９２の外針９５を抜き、ガイドワイヤ２４に沿ってカテーテル１１０を挿入する（図２８ｄ参照）。その後は図２７と同様の手段で髄腔２２内の骨髄を吸引する（図２８ｅ参照）。
【０１１７】
このように穿刺孔確保材１００は、骨皮質に固定後、穿刺針９２を骨に穿刺するためのアンカーになるため、穿刺開始時の穿刺針９２の横飛びを防止し、穿刺作業の安全化に寄与することができる。また、穿刺孔確保材１００を骨に対して斜めに固定することにより、容易に穿刺針９２を骨に対して斜めに穿刺することができる。これによりガイドワイヤそしてカテーテルを他のデバイスを用いることなく髄腔の奥まで挿入させることができ好ましい。
【０１１８】
また穿刺孔確保材１００に、上端にグリップ１１１を有する内針１１２を挿入した穿刺孔確保用針システム１１５を用いて骨皮質に穿刺孔確保材１００を固定してもよい（図２９参照）。これは穿刺孔確保用針システム１１５を骨に穿刺し、内針１１２を抜き取ることにより達成される。穿刺孔確保材１００固定後、フランジ部の連通孔１０２から穿刺針９２を挿入して髄腔２２内まで穿刺針９２を通す。この後は図２７ａの骨髄穿刺システムと同様にガイドワイヤ、カテーテルを挿入する。この場合も骨髄穿刺システム１０５を用いる場合と同様に安全に、そして確実に骨髄を吸引することができる。
【０１１９】
またこの穿刺孔確保用針システム１１５を用いる場合、穿刺孔確保材１００を骨皮質に固定（穿刺）するときも、穿刺孔確保材を固定しながら内針１１２を回転させることにより、穿刺孔確保材１００を単独に用いて穿刺するときに比べて小さい穿刺抵抗で穿刺孔確保材１００を固定することができる。この場合も穿刺孔確保材１００とその内針１１２の歯先が２点あるため、穿刺孔確保材システム１１５はぶれることなく安全に穿刺できる。しかし、内針１１２が穿刺孔確保材１００内を回動しないようにしてもよい。この場合、骨髄穿刺システム１０５と同様に穿刺孔確保用針システム１１５を捻りながら押し込むこ
とにより穿刺孔確保材１００を固定する。
この穿刺孔確保材１００を湾曲状に形成することにより、図１に示す湾曲した穿刺針１０にも用いることができる。これにより同様に穿刺部位がずれたり、横滑りして臓器を傷つけたりすることを防止することができる。
【０１２０】
前述の骨髄採取操作は、全て無菌的に清潔下で行わなければならない。骨髄にカテーテルを挿入することによって感染を起こし、骨髄炎という危険な結果を招くおそれがあるため、感染防止には充分なる注意が必要である。以下、本発明の医療器具の構成およびそれらの使用方法の具体的な実施例を説明する。
【実施例１】
【０１２１】
外径２．２ｍｍ、内径２ｍｍ、長さ７ｃｍの外針と、外径１．９ｍｍ、長さ７．２ｍｍの中実の内針を組み合わせ、曲率半径５ｃｍのカーブを持った穿刺針を硬質のステンレス鋼で作成した。その先端は３面の錐状にした。内針と外針とは先端の反対部分である手元端でインターロック状態にして、時計方向に少し廻すことで締まり、半時計方向に回転させることで緩む構造にした。これをテスト用に用いる骨髄針とした。
【０１２２】
外径２．２ｍｍ、内径１．５ｍｍ、長さ１２ｃｍの探索管をポリエチレンで作成した。この探索管は屈曲性があり、なおかつ、海綿骨への刺入には充分な強度があった。
【０１２３】
外径２．２ｍｍ、内径２ｍｍ、長さ２５ｃｍのポリエチレン製のカテーテルを準備した。その先端から１ｃｍ、２ｃｍ、３ｃｍの所にそれぞれ１２０度の屈曲を熱加工によって付けた。さらに先端から０．７ｃｍの所に径２ｍｍの側孔を一つ明けた。手元端には三方活栓を付け、その先に血管カテーテル操作で使用する逆流防止弁を付けた。
【０１２４】
同じサイズのポリエチレン製のカテーテルを準備した。これには、手元端に三方活栓を付け、その先に血管カテーテルで使用する逆流防止弁を受けたが、先端には屈曲や側孔を付けなかった。他方、外径０．４ｍｍ、長さ４０ｃｍのガイドワイヤを用意した。これには血管造影用のガイドワイヤを用いた。その一端は柔軟性を持ち、他端は硬性を持つ。
【０１２５】
外径０．５ｍｍ、長さ３０ｃｍのピアノ線のマルチフィラメントからなるワイヤを準備した。このワイヤの先端から０．５ｃｍ、１．５ｃｍ、２．５ｃｍの所にそれぞれ１２０度の屈曲を付けた。これを攪拌棒とした。
【０１２６】
体重２０ｋｇのオスの成犬を全身麻酔し、右側臥位にして、清潔下に左腰部の左大腿骨の大転子部分を触診で観察し、その部位に前述の準備した穿刺針を刺した。このとき、最初の皮膚を切るところと大転子に刺すところは軽く力を入れたが、後は錐を押して廻して進める要領で針を押し進めることによって、穿刺線の先端が骨皮質を穿ち、穿刺針が大腿骨内に刺入された。
【０１２７】
そこで、さらに針の先端を長軸方向に針のカーブに沿って湾曲するように向けて押し進め、先端を骨の内部で髄腔に向けて約３ｃｍ刺したところで内針を抜去し、準備したガイドワイヤを挿入した。このとき、抵抗があったが、それを強く押し進めると、約１ｃｍ進んだところで抵抗がなくなり、そのまま約２０ｃｍ先まで容易に進めることができた。ここでレントゲン透視によりガイドワイヤの位置を観察したところ、この操作によってガイドワイヤは大腿骨の髄腔にあって、その先端は膝関節近くまで至ったことが確認された。
【０１２８】
そこで穿刺針を抜去し、それに代えて探索管を挿入した。このとき少し抵抗があったが、約６ｃｍ挿入し、ついでそれを抜去した。さらに準備した屈曲と側孔付きのカテーテルに生理的食塩水を充填した輸液バッグを、点滴注射できる状態で三方活栓を介して接続し
、それをガイドワイヤに被せるように沿わせて挿入し、約２０ｃｍ入ったところで止めて、ガイドワイヤを抜去した。
【０１２９】
次に同じような操作で再び、穿刺針を大転子付近の骨皮質を破って海綿骨部分に刺入し、内針を抜去した後に外針を経由してガイドワイヤを髄腔内まで挿入した。これをレントゲン透視により確認した後、外針を抜去し、代わりに外針の代用となる屈曲性を持つ探索管をガイドワイヤに被せるように挿入して回転させながら挿入した。この操作は容易に行うことができた。次に探索管を抜去して代わりに側孔と屈曲のないカテーテルに、生理的食塩水入りの輸液バッグを点滴注射のできる状態で三方活栓を介して接続し、それを挿入して、それが２０ｃｍ以上刺入されたところでガイドワイヤを抜去した。
【０１３０】
次に、２番目に挿入したカテーテル内に準備した攪拌棒を約２４ｃｍ挿入した。この時点でレントゲン透視によって攪拌棒とカテーテルの位置を確認したところ、攪拌棒はカテーテルの先端から約５ｃｍ髄腔内に出ていた。そして攪拌棒を手元で廻すことによって、先端もそれにつれて回ることが確認された。
【０１３１】
次に側孔付きのカテーテルの三方活栓から容量２０ｍｌの注射器で吸引しつつ、側孔のないカテーテルより生理的食塩水を徐々に１６ｍｌ注入し、攪拌棒を廻し、髄腔で前後に移動させたところ、黄色みを帯びた骨髄の懸濁液を２７ｍｌ吸引することができた。さらに懸濁液は毎分１００回転で２分間の遠心沈澱によって生理的食塩水を分離することができた。
【０１３２】
採取した骨髄懸濁液を光学顕微鏡で観察したところ、メガカリオサイトや赤芽球のような骨髄組織に特有の細胞が多く見られ、その液に多量の骨髄が含まれていることが判明した。この実施例１の操作によって、容易に大腿骨から骨髄を大量に採取することが可能であることが判明した。さらにこの手術を行ったイヌの術後の観察を続けた結果、とくに左足を痛がる様子も、気にしている様子もなく、さらには発熱や食欲不振なども観察されなかったことから、この処置による全身及び局所への影響は極めて少ないと推測される。
【実施例２】
【０１３３】
体重２０ｋｇの別のイヌを用いて同様に全身麻酔科に骨髄採取を行った。この度も実施例１と同様の穿刺針、探索管、カテーテル、ガイドワイヤなどを用意した。ただしカテーテルとしては、外径は実施例１の場合と同様の２．２ｍｍでありながら、内径は１．４ｍｍの円形の主管と、その側面に設けた厚みが０．４ｍｍの薄い隙間からなる側管とのダブルルーメンのカテーテルを準備した。
【０１３４】
この両方の管にはそれぞれ手元端に三方活栓を接続し、それぞれコネクティングチューブを介して生理的食塩水入りの輸液バッグを点滴注射ができる状態で接続し、カテーテル内を生理的食塩水で満たした。三方活栓の一部には、血管カテーテル操作で使用する逆流防止弁を付けた。このカテーテルは先端から０．７ｍｍの所に側孔があって、内径１．４ｍｍの主管に通じている。また、その先端から１ｃｍ、２．５ｍｍ、４ｍｍの所にそれぞれ１２０度の屈曲を熱加工によって付けた。
【０１３５】
まず、動物を左側臥位にして、清潔下に左腰部で左大腿骨の大転子部分を触診で観察し、その部位に準備した穿刺針を刺した。このとき、実施例１と同じように、最初の皮膚を切るところと大転子に刺すところでは軽く力を入れたが、強い力は不要であった。次に錐を用いて孔を穿つ要領で針を廻しつつ進めると、少し抵抗が出て穿刺針の先端が骨に入り込んだことが判った。
【０１３６】
次に内針を抜去し、その代わりにガイドワイヤを挿入し、力を入れて押すと、約４ｃｍ
挿入されたところから抵抗がなくなり、２０ｃｍまで挿入することができた。次に外針を抜去して、探索管を挿入して回転させつつ押し進め、約４ｃｍの所まで入った。そこでその操作を止めて、その探索管を外した。
【０１３７】
次に用意したカテーテルをガイドワイヤに沿って挿入した。先端が４ｃｍのところで少し抵抗があったが、少し力を入れると、すぐに抵抗がなくなり挿入可能であった。そこで２０ｃｍ挿入したところで挿入をやめて、ガイドワイヤを抜去した。
【０１３８】
次に、カテーテルの側管から生理的蒸留水を徐々に滴下しつつカテーテルを手元で回転させながら、押したり引いたりする操作を何度も繰り返し、この操作を行いつつ主管から注射器で吸引したところ、骨髄液の混じった液が３１ｍｌ採取できた。このときまでに注入した生理的食塩水は２０ｍｌであった。
【０１３９】
採取した液を光学顕微鏡で観察し、骨髄固有の細胞が多く認められたことから、これが骨髄の懸濁液であることが確認できた。この液の中には赤血球も多く含まれていたが、肉眼的には真っ赤な血液状態ではなく、泥状の組織片が混在した混濁液状態であった。この処置によって、レントゲンで確認することなく、盲目的であっても大転子部分に刺入させるとほぼ必ず髄腔内にカテーテルを挿入可能で、骨髄を確実に、しかも大量に採取することが可能であることが明らかになった。また、手術後の動物の観察では、実施例１の場合と同じく異常は全く認められなかったことから、安全な処置であることが明らかとなった。
【実施例３】
【０１４０】
同じようにカーブを持つ穿刺針であるが、内針を持たないタイプの穿刺針を用いてその効果を見るために動物で骨髄穿刺を実施した。使用した穿刺針は、外径２．２ｍｍ、内径２ｍｍ、長さ７ｃｍの外針のみで、内針を持たない。その先端は３面の錐状にした。先端から５ｍｍのところで、針のカーブの内側に幅０．６ｍｍ、長さ２ｍｍの側孔を設けた。針の手元端は注射器の取付が可能な構造にした。これと同時に使用するガイドワイヤ、探索管は実施例２と同じものを用い、ダブルルーメンで、先端に屈曲構造を持つカテーテルを使用した。
【０１４１】
まず、実施例２と同じ方法で動物を左側臥位にして清潔下に左腰部で左大腿骨の大転子部分を触診で確認し、その部位に準備した穿刺針を刺した。この時、実施例２と同じように、皮膚と骨表面を刺すところでは軽く力を入れたが、強い力は不要であった。次に先端を錐を用いて孔を穿つ要領で針を廻しつつ進めると、抵抗が少なくなり、針先が骨皮質を貫通して海綿骨層に至ったことが判った。そこで針先を骨幹部方向に向けて約４ｃｍほど押し進めたところで止め、穿刺針の中にガイドワイヤを押し込んだ。このとき、ガイドワイヤに少し力を入れて押すと、約５ｃｍ挿入したところから抵抗がなくなり、２０ｃｍまで挿入することができた。
【０１４２】
次に穿刺針を抜去し、ガイドワイヤを介して探索管を挿入して回転させつつ押し進めることで、約５ｃｍの所まで入った。そこでその操作をやめて、ガイドワイヤを抜去し、探索管に注射器を取りつけて陰圧を少しかけたところ、骨髄と思われる赤みを帯びた組織を吸引することができた。そこで再びガイドワイヤを挿入して探索管を抜去した。
【０１４３】
次に用意したカテーテルをガイドワイヤに沿って挿入した。ごく少し抵抗があったが、少し力を入れると、すぐに抵抗がなくなり挿入可能であった。そこで２０ｃｍ挿入したところで挿入をやめて、ガイドワイヤを抜去した。
【０１４４】
次に、実施例２と同じく、カテーテルを髄腔で回転しつつ前後運動も繰り返し行い、そ
れと同時に生理的食塩水を注入しつつ注射器で陰圧をかけると、容易に骨髄の浮遊液を採取することができた。このとき、注入した生理的食塩水は３０ｍｌであり、採取した骨髄浮遊液は３９ｍｌであった。この骨髄浮遊液は軽く遠心沈澱を行うことで、純粋の骨髄液を集めることができた。
【０１４５】
この処置を行った動物の観察では、全く副作用と思われる症状は見られなかった。このことから、内針のない穿刺針であっても、針がカーブしていると、骨片が側構内に入り込まず、安全かつ確実に骨端部の側面から骨幹部にカテーテルを挿入させて、大量に骨髄を採取することが可能であることが判明した。
【実施例４】
【０１４６】
穿刺針の側孔に骨片が入り込んだときのことを想定して、実験的に海綿骨の一部を取り、無理矢理に側孔に押し入れた。このようにしておいてガイドワイヤを挿入し、それで力を入れて突くと、容易に詰まった骨片が取り除かれた。従って、内針のない穿刺針の側孔に骨片が詰まったとしても、ガイドワイヤで押し出されることが確認された。そのため、内針がなくとも、側孔内に骨片は入りにくく、たとえ入ったにしてもガイドワイヤで容易に押し出すことが可能であることが判明した。
【０１４７】
穿刺針の側孔の位置に関しては、カーブのいずれの位置にあっても、先端から少し離れていれば骨片が入りにくいので、問題は生じないようである。また、側孔の位置がカーブの内側であれば、穿刺針の先端が海綿骨内で完全に髄腔方向に向ききっていなくとも、その穿刺針に押し入れたガイドワイヤの先端が髄腔方向に向きやすい、という利点があることが上記の実験で明らかとなった。
【図１】
0005084259.tif 000002
【図２】
0005084259.tif 000003
【図３】
0005084259.tif 000004
【図４】
0005084259.tif 000005
【図５】
0005084259.tif 000006
【図６】
0005084259.tif 000007
【図７】
0005084259.tif 000008
【図８】
0005084259.tif 000009
【図９】
0005084259.tif 000010
【図１０】
0005084259.tif 000011
【図１１】
0005084259.tif 000012
【図１２】
0005084259.tif 000013
【図１３】
0005084259.tif 000014
【図１４】
0005084259.tif 000015
【図１５】
0005084259.tif 000016
【図１６】
0005084259.tif 000017
【図１７】
0005084259.tif 000018
【図１８】
0005084259.tif 000019
【図１９】
0005084259.tif 000020
【図２０】
0005084259.tif 000021
【図２１】
0005084259.tif 000022
【図２２】
0005084259.tif 000023
【図２３】
0005084259.tif 000024
【図２４】
0005084259.tif 000025
【図２５】
0005084259.tif 000026
【図２６】
0005084259.tif 000027
【図２７】
0005084259.tif 000028
【図２８】
0005084259.tif 000029
【図２９】
0005084259.tif 000030